(57)【要約】      （修正有）【課題】塗装用ハンドローラーにおいて、ローラーの一度の回転で、塗装面に斑が生じることなく、またローラーに異物が付着しても、その跡が塗装面に現出しないローラー部構造を提供する。【解決手段】塗装用ハンドローラーにおいて、２個のローラー軸１を溶接又はねじ止めして成るローラー軸固定片２をローラーの取り付け部位となる柄３の先端部に、止め金４を介して回動自在に取り付けると共に、ローラー軸１の夫々に回転自在にローラー５を嵌着した。これにより、塗装作業では、２個のローラー５が補完し合って機能し、反復操作の少ない塗装作業を成すことができる。【選択図】図２
0003213381.tif 000002
【実用新案登録請求の範囲】
【請求項１】
塗装用ハンドローラーにおいて、２個のローラー軸１を溶接等して成るローラー軸固定片２をローラーの取り付け部位となる柄３の先端部に、留め金４を介して回動自在に取り付けると共に、前記ローラー軸１の夫々に回転自在にローラー５を嵌着した塗装用ハンドローラーのローラー部構造。
【考案の詳細な説明】
【技術分野】
【０００１】  本考案は、施設や物品等の塗装に用いる塗装用ハンドローラーのローラー部の構造に関する。
【背景技術】
【０００２】  握部の操作で、ローラー部を塗装面上で回転させて塗装を成す従来の主な塗装用ハンドローラーには、スモールローラータイプとボックスローラータイプがあるが、いずれも握部から前方に伸びる柄の先端部を握部の中心軸に対して直角になるように曲折し、これに回転可能に１個のローラーを嵌挿した構造になっている（図１参照）。
【考案の開示】
【考案が解決しようとする課題】
【０００３】  上記従来の塗装用ハンドローラーにおけるスモールローラータイプは、細かな塗装面や段差や凹みのある塗装面には有効であるが、反面、塗料を含蓄するローラーの毛の部分が小さく且つ少ないので、頻繁にローラーバケット内に入れて塗料をつけて作業に臨まなければならない欠点があり、作業の効率は限られたものであった。【０００４】  また、ボックスローラータイプ（ウーローラー）では、紙でできている管の外側に毛を貼り付けてローラーとし、内側の内圧バネの力でローラーを膨らましているので、塗料の含みがよく、塗装のしやすい長所はあるが、ローラーの径が大きいので、内圧バネで構成されるボックス内に塗料が入り込み、作業中にここから常時塗料がローラー外に零れ落ちて作業現場を汚すので、これを許されない現場では、その対応に腐心しなければならず、作業効率にも大きく係わるものとなっていた。【０００５】  また、上記の塗装用ハンドローラーは、把持した握柄を操作して、ローラーを塗装する面上で回転させて塗装を成すが、１個のローラーでは、部分的に塗装されない斑が生じ、そのために再度の反復操作が必要となることが多く、これが疲労となるだけでなく、作業効率にも影響を与えるので、改善の必要があった。【０００６】  また、１個のローラーによる塗装では、作業中に異物屑がローラーに付着すると、いつまでもその形状が塗装面に現状するので、上記同様、再度の塗装操作や異物の取り除きをしなければならない煩労があった。【０００７】  以上のように、ローラー１個で成る塗装用ハンドローラーでは、上記いくつかの解決課題を有するものとなっていた。【０００８】  上記の問題点を踏えて、本考案では、塗装用ハンドローラーのローラー部分の構成を改善して、ローラーの一度の操作で塗装面に斑が生じることなく、また、ローラーに異物が付着しても、その後が塗装面に現れないローラー機構の確立を目的（課題）とする。【０００９】  また、ローラーを頻繁にローラーバケット内に入れて、塗料を含ませて作業に臨むことを避け、ローラーの一度の塗料含蓄で広い面積の塗装ができるローラー構造の確立を課題とする。また、塗装する面が如何様であっても、面に密着して安定した操作ができるローラー構造のハンドローラーのローラーであることも課題とする。
【課題を解決するための手段】
【００１０】  本考案は、上記の課題を解決するために、塗装用ハンドローラーの柄の先端部に取り付けるローラーを２個とする。そのために、ローラーを嵌着するローラー軸も２本として、これをローラー軸固定片に溶接等により固定し、このローラー軸固定片を柄の先端部に留め金を介して回動可能に取り付け、このローラー軸に、それぞれローラーを回転自在に嵌着した構成にする（図２参照）。
【考案の効果】
【００１１】  次に、２個のローラーで構成される本考案の効果について説明する。一体で回転作動する２個のローラー軸を溶着したローラー軸固定片を回転自在に柄の先端部に取り付けているので、２個のローラーの塗装面への密着性と安定性がよく、その上、２個のローラーがローラー１個の場合とは異なり、塗装に際し互いに欠点を補完し合うので、斑や異物跡の殆どない塗装面となる。従って、塗装の厚さもローラー１個の場合より約１．５倍の厚さになるので、反復塗装の必要性も少なく、効率のよい塗装作業が約束される。【００１２】  特に、ローラーの個数が２個になることにより、ローラーが含蓄する塗料の全量も多くなるので、斑の発生の少ない塗装が可能となる。また、上記により、ローラーに塗料を含蓄又は付着する回数も少なくなるので、作業者の煩労も少なくなり、福音である。
【考案を実施するための形態】
【００１３】  本考察は、塗装用ハンドローラーの塗装機能を高めるために、ローラーを２個にした構成にすることとし、塗装用ハンドローラーの柄の先端に２本のローラー軸を溶接等により突設したローラー軸固定片を柄の先端部に留め金で挟み、回動自在に取り付け、この２本のローラー軸はローラーを嵌着して、２個で成るローラー部を完成する。
【００１４】  ローラーは、軸となる樹脂管等は、空隙が多く且つ毛丈が２ｃｍ余りの樹脂毛を貼着して構成し、多くの塗料を含着できるものを用いる。なお、ローラーには広く流通している市販品を用いることができる。
【００１５】  上記のローラー部は、塗装作業に際し、一体で回転して動く機能で、塗装面への密着性が良い上に、塗装時の操作性と安定性にも優れ、且つ、楽に操作ができるものになっている。これは、本考察の優れた特長である。
【実施例１】
【００１６】  以上の本考察では、ローラーの数を２個にして実施する場合について説明しているが、これを３個にして実施することも可能である。この時、ローラー３個の並列にしたり、３個のローラーの軸が正三角形の頂点となる構成にしてもよい。これにより、塗料の含蓄も多くなり、作業効率も高まる利点もある。
【図面の簡単な説明】
【００１７】
【図１】  従来の一般的な塗装用ハンドローラーの平面図である。
【図２】  本考案の塗装用ハンドローラーのローラー部の構成を示す平面図である。
【図３】  本考案の塗装用ハンドローラーのローラー部の構成を示す側面図である。
【符号の説明】
【００１８】１    ローラー軸
２    ローラー軸固定片
３    柄
４    留め金
５    ローラー
６    握部
【図１】
0003213381.tif 000003
【図２】
0003213381.tif 000004
【図３】
0003213381.tif 000005
【手続補正書】
【提出日】平成29年8月15日(2017.8.15)
【手続補正１】
【補正対象書類名】実用新案登録請求の範囲
【補正対象項目名】全文
【補正方法】変更
【補正の内容】
【実用新案登録請求の範囲】
【請求項１】
塗装用ハンドローラーにおいて、２個のローラー軸１を溶接又はねじ止めして成るローラー軸固定片２をローラーの取り付け部位となる柄３の先端部に、止め金４を介して回動自在に取り付けると共に、前記ローラー軸１の夫々に回転自在にローラー５を嵌着した塗装用ハンドローラーのローラー部構造。
【手続補正２】
【補正対象書類名】明細書
【補正対象項目名】００１０
【補正方法】変更
【補正の内容】
【００１０】  本考案は、上記の課題を解決するために、塗装用ハンドローラーの柄の先端部に取り付けるローラーを２個とする。そのために、ローラーを嵌着するローラー軸も２本として、これをローラー軸固定片に溶接又はねじ止めにより固定し、このローラー軸固定片を柄の先端部に止め金を介して回動可能に取り付け、このローラー軸に、それぞれローラーを回転自在嵌着した構成にする（図２参照）
【手続補正３】
【補正対象書類名】明細書
【補正対象項目名】００１３
【補正方法】変更
【補正の内容】
【００１３】  本考察は、塗装用ハンドローラーの塗装機能を高めるために、ローラーを２個にした構成にすることとし、塗装用ハンドローラーの柄の先端に２本のローラー軸を溶接又はねじ止めにより突設したローラー軸固定片を柄の先端部に留め金で挟み、回動自在に取り付け、この２本のローラー軸にローラーを嵌着して、２個で成るローラー部を完成する。